(57)【要約】【課題】本発明は、レジ毎に売上金を記憶する記憶部を備えて、一定期間毎の売上金の総計を印字出力ができる売上金入金機及び売上金精算システムを提供することを目的とする。【解決手段】各レジ１のレジ担当者は、売上金入金機２，２ａにおいて、レジ１の売上金の入金を行う。そして、テナント店のレジ１におけるレジ担当者は、売上金入金機２又はシステム管理用サーバ３，３ａにおいて、データベース５，５ａに記憶された入金データを参照することで、レジ担当者の好みの時間帯に通帳記帳を行うことができる。【選択図】図１
2008117307.tif 000002
【特許請求の範囲】
【請求項１】
売上金を識別計数して入金する売上金入金部と、売上金の売場を特定する情報が入力される売場特定情報入力部と、を備える売上金入金機において、
前記売上金入金部で入金された売上金と、前記売場特定情報入力部に入力された情報とを関連づけて記憶する記憶部と、
前記売場に対して発行され一定期間毎の売上金情報が記帳される通帳に印字処理を行う通帳印字部と、
を備え、
前記通帳印字部が前記通帳に印字処理をおこなう際、当該通帳に対応した前記売場の前記売上金情報を前記記憶部に記憶された情報より取得して、前記通帳に印字出力することを特徴とする売上金入金機。
【請求項２】
前記記憶部が前記売上金入金機の外部に設置される記憶装置であり、当該記憶装置と通信接続を行うインターフェースを備えることを特徴とする請求項１に記載の売上金入金機。
【請求項３】
前記通帳印字部が前記売上金入金機の外部に設置される印字装置であり、当該記憶装置と通信接続を行うインターフェースを備えることを特徴とする請求項１又は請求項２に記載の売上金入金機。
【請求項４】
前記通帳印字部が、既に前記一定期間毎の売上金合計とされているとともに前記通帳へ未だ記帳されていない売上金情報のみを選択して、前記通帳に印字出力することを特徴とする請求項１〜請求項３のいずれかに記載の売上金入金機。
【請求項５】
売上金を識別計数して入金する売上金入金機を備え、前記売上金入金機に入金された売上金を精算管理する売上精算システムにおいて、
前記売上金入金機で入金された売上金と当該売上金の売場を特定する情報とを関連づけて記憶する記憶装置と、
前記売場に対して発行され一定期間毎の売上金情報が記帳される通帳に印字処理を行う通帳印字装置と、
を備え、
前記通帳印字装置が前記通帳に印字処理をおこなう際、当該通帳に対応した前記売場の前記売上金情報を前記記憶装置に記憶された情報より取得して、前記通帳に印字出力することを特徴とする売上精算システム。
【請求項６】
前記売上金入金機の一つが、前記通帳印字装置とともに構成されることを特徴とする請求項５に記載の売上精算システム。
【請求項７】
前記通帳印字装置が前記売上金入金機と別体であり、前記通帳印字装置と前記売上金入金機との間で通信を行うネットワークが構成されることを特徴とする請求項５に記載の売上精算システム。
【発明の詳細な説明】
【技術分野】
【０００１】
本発明は、百貨店やスーパーマーケットなどのように、その直営店以外に他社のテナント店が入店している小売店において、売上を統合して精算して管理するために使用する売上金入金機及び売上精算システムに関する。
【背景技術】
【０００２】
百貨店やスーパーマーケットなどの小売店においては、その直営店以外に他社のテナント店が入店していることが多い。このテナント店が入店している小売店では、テナント店の日々の売上は、親店（小売店自身）の出納室で、直営店の売上と共に統合して精算管理されるのが通常であるが、このテナント店の売上は直営店の売上とは別会計とする必要がある。
【０００３】
この売上の精算管理を同じ小売店内における直営店及びテナント店それぞれが行うために、一日の販売が終了すると、まず、各店毎に備えられたＰＯＳ（Point Of Sales）レジスタ（以下では、単に「レジ」とする）の売上を締める。そして、売上を締めた各レジの担当者が、そのレジにおける売上金とレジの集計結果を印刷した集計結果（ジャーナル）とを、親店となる小売店の出納室に持っていく。この出納室には、レジ担当者が直接入金するための売上金入金機であるキャッシュターミナルが備えられており、各店のレジ担当者はこのキャッシュターミナルで売上の精算処理を実行する。
【０００４】
キャッシュターミナルでは、まず、レジ担当者がＩＤカードをカードリーダに通すことで、レジ番号の認識が成されると、レジ担当者により、レジの売上金が入金された後、レジのジャーナルに記載されたレジの売上合計金額がキー入力される。これらの動作がレジ担当者によりなされることで、キャッシュターミナルが、入金された金額を計数し、この計数金額とキー入力金額を照合する。そして、計数金額とキー入力金額とが一致すると、入金の受取書である受取ジャーナルを印字する。
【０００５】
このように直営店及びテナント店の売上金は、出納室にあるキャッシュターミナルを利用して、１日分毎に管理されている。そして、キャッシュターミナルで印字される受取ジャーナルは、１日分の売上金が記載され、毎日発行されることとなる。このように毎日発行される受取ジャーナルについて、テナント店の分に関しては印税法により印紙を貼る必要がある。即ち、印税法の第１７号文章は、印紙税の課税対象となる受取書を規定しており、これによれば、金銭または有価証券の引き渡しを受けた者は、その受領事実を証明するために受取書を作成し、その受取書に印紙を貼って引渡者に交付する必要がある。そのため、テナント店のレジ担当者は、売上金の入金を行うたびに、親店の出納室の係員にテナント店に所属している旨を告げて、受取ジャーナルに印紙を貼ってもらう。
【０００６】
このように従来においては、キャッシュターミナルから１枚の紙片である受取ジャーナルを発行して、テナント店の日々の売上精算の受取書としていたため、受取ジャーナルを毎日発行する度に所要代金の印紙を貼る必要があり、印紙用の経費が多くかかるとともに、印紙を貼るための面倒な手間を要する。そのため、本出願人は、受取書用の印紙のためのコストを低減するとともに出納事務能率の向上を図るために、テナント店に対しては通帳印字を行う売上精算システムの管理装置を提案した（特許文献１参照）。
【特許文献１】特許第３５５９６５２号公報
【発明の開示】
【発明が解決しようとする課題】
【０００７】
上述したように、特許文献１における売上精算システムの管理装置において、売上金について、テナント店に対しては通帳に印字を行い、直営店に対しては受取ジャーナルに印字を行う。そのため、キャッシュターミナルなどの管理装置が複数配置されている場合、各管理装置において、受取ジャーナルに印字を行うジャーナル用プリンタだけでなく、通帳に印字を行う通帳用プリンタが必要となる。又、テナント店のレジ担当者は、その日の売上金を入金する際に通帳に記帳する必要がある。そのため、入金してから通帳への記帳が終了するまでにかかる処理時間が長くなり、テナント店に対して管理装置の数が少ない場合、全ての担当者が処理を終了するまでにかかる時間が長くなってしまう。
【０００８】
更に、通帳への記帳が必要となるテナント店のレジ担当者については、その管理が直営店の売上金と異なり、その日の売上金のみを通帳へ記帳できるように、売上金の入金が閉店後の一度に設定される。このように、テナント店の場合は、直営店の場合と異なり、レジからの現金回収処理が行われる「途中入金」が行われることがなく、売上金を入金するまで安全に現金を保管するために、独自で管理する必要があった。
【０００９】
尚、テナント店の場合においても、同日に何度も売上金を入金することができるが、この場合、直営店に対しては、入金する度に受取ジャーナルの印字でよいが、テナント店に対しては、通帳への印字を行う必要がある。そのため、テナント店のレジ担当者は、入金の度に通帳を携行する必要がある。又、このように１日に何度も入金することにより、通帳へ記帳する回数も増えるため、通帳における記載欄の減りが早くなり、通帳を換える回数が増えてしまい、結果的に印紙数の増大を招くこととなる。
【００１０】
このような問題を鑑みて、本発明は、レジ毎に売上金を記憶する記憶部を備えて、一定期間毎の売上金の総計を印字出力ができる売上金入金機及び売上金精算システムを提供することを目的とする。
【課題を解決するための手段】
【００１１】
上記目的を達成するために、本発明の売上金入金機は、売上金を識別計数して入金する売上金入金部と、売上金の売場を特定する情報が入力される売場特定情報入力部と、を備える売上金入金機において、前記売上金入金部で入金された売上金と、前記売場特定情報入力部に入力された情報とを関連づけて記憶する記憶部と、前記売場に対して発行され一定期間毎の売上金情報が記帳される通帳に印字処理を行う通帳印字部と、を備え、前記通帳印字部が前記通帳に印字処理をおこなう際、当該通帳に対応した前記売場の前記売上金情報を前記記憶部に記憶された情報より取得して、前記通帳に印字出力することを特徴とする。
【００１２】
このような売上金入金機において、前記記憶部が前記売上金入金機の外部に設置される記憶装置であり、当該記憶装置と通信接続を行うインターフェースを備えるものとして、前記記憶部と前記売上金入金機が別体で構成されるものとしても構わないし、前記通帳印字部が前記売上金入金機の外部に設置される印字装置であり、当該記憶装置と通信接続を行うインターフェースを備えるものとして、前記通帳印字部と前記売上金入金機が別体で構成されるものとしても構わない。
【００１３】
更に、前記通帳印字部が、既に前記一定期間毎の売上金合計とされているとともに前記通帳へ未だ記帳されていない売上金情報のみを選択して、前記通帳に印字出力するものとする。このとき、一定期間の売上金情報について、その一定期間が経過したことを確認することで、前記通帳に記帳可能であることを確認するものとしても構わないし、操作部を介して記帳可能であることが示されることで、前記通帳に記帳可能であることを確認するものとしても構わない。更に、前記売場がレジの場合、レジが締められたことが確認されることで、前記通帳に記帳可能であることを確認するものとしても構わない。
【００１４】
又、本発明の売上精算システムは、売上金を識別計数して入金する売上金入金機を備え、前記売上金入金機に入金された売上金を精算管理する売上精算システムにおいて、前記売上金入金機で入金された売上金と当該売上金の売場を特定する情報とを関連づけて記憶する記憶装置と、前記売場に対して発行され一定期間毎の売上金情報が記帳される通帳に印字処理を行う通帳印字装置と、を備え、前記通帳印字装置が前記通帳に印字処理をおこなう際、当該通帳に対応した前記売場の前記売上金情報を前記記憶装置に記憶された情報より取得して、前記通帳に印字出力することを特徴とする。
【００１５】
このような売上精算システムにおいて、前記売上金入金機の一つが、前記通帳印字装置とともに構成されるものとしても構わないし、前記通帳印字装置が前記売上金入金機と別体であり、前記通帳印字装置と前記売上金入金機との間で通信を行うネットワークが構成されるものとしても構わない。
【００１６】
更に、前記記憶装置が前記売上金入金機と別体であり、前記記憶装置と前記売上金入金機や前記通帳印字装置との間で通信を行うネットワークが構成されるものとしても構わない。
【発明の効果】
【００１７】
本発明によると、売上金を記憶させることができるため、売上金の入金時に通帳印字を行う必要がなく、作業者の好みの時間に通帳への記帳を行うことができる。そのため、システムに設置された全ての売上金入金機が、通帳印字を行う通帳印字部を備える必要がなくなり、その設置スペースを狭めることができる。又、記憶部に売上金が売場と関連づけて記憶されるため、一定期間毎の売上金情報を記憶部で生成して、一定期間毎の売上金情報のみを通帳に記帳させることができる。これにより、売上金の入金の度に通帳の記帳を行う必要がなくなるため、通帳の印字欄の数を低減することができ、通帳の利用期間を長くすることができる。
【発明を実施するための最良の形態】
【００１８】
本発明の実施形態について、図面を参照して以下に説明する。図１は、本実施形態における売上金精算システムの構成を示すブロック図である。尚、以下では、百貨店又はスーパーなどの小売店（親店）に設置される売上金精算システムであり、その親店の直営店以外にテナント店が入店している小売店に設置される売上金精算システムである。
【００１９】
本実施形態の売上金精算システムは、図１に示すように、複数のフロア毎にフロア用出納室Ｆａが設けられるとともに、各フロア用出納室Ｆａと通信接続されるとともに小売店全体のシステムを統合するための管理用出納室Ｆが設けられる。そして、フロアそれぞれにおいて、複数のレジ１が設置されるとともに、フロア用出納室Ｆ及び管理用出納室Ｆａそれぞれには、レジ担当者によって入金処理が成される複数の売上金入金機２，２ａと、レジ１及び売上金入金機２，２ａそれぞれのデータ管理を行うシステム管理用サーバ３，３ａと、システム管理用サーバ３，３ａと接続された印字装置４及びデータベース５，５ａとが備えられる。
【００２０】
又、各フロア間及び各フロア内において、無線又は有線によるＬＡＮ（Local Area Network）６が設置され、売上金精算システムを構成する各装置がＬＡＮ６によって通信接続されることで、各装置間でのデータ通信が成される。これにより、フロア用出納室Ｆａが設置されたフロアでは、システム管理用サーバ３ａによって、そのフロアに設置されたレジ１及び売上金入金機２，２ａのデータ管理が行われる。そして、管理用出納室Ｆが設置されたフロアでは、システム管理用サーバ３によって、そのフロアに設置されたレジ１及び売上金２，２ａのデータ管理が行われるとともに、システム管理用サーバ３ａを通じて各フロアのレジ１及び売上金入金機２，２ａのデータ管理が行われる。
【００２１】
更に、管理用出納室Ｆにおけるシステム管理用サーバ３は、インターネット７を通じて直営店管理サーバ８と接続される。この直営店管理サーバ８にでは、各小売店（親店）のシステム管理用サーバ３と接続されることで、各小売店における直営店自身の売上金とテナント店の売上金の管理が成される。
【００２２】
（レジ１の管理システム）
このように構成される売上金精算システムでは、小売店内において、フロア毎に設置されたフロア用出納室Ｆａ内に設置されるシステム管理用サーバ３ａによって、同一フロアに設置された各レジ１のレジ番号及び部門コードとその売上高がデータベース５ａに記憶されて管理される。即ち、レジ１で商品代金の精算が行われると、売上商品の分類コード、それらの個数、売上金額などの売上情報が、ＬＡＮ６によってシステム管理用サーバ３ａに送信される。そして、システム管理用サーバ３ａでは、各レジ１のレジ番号及び部門コードに対して、各レジ１の売上情報を、データベース５ａに記憶させる。このデータベース５ａでは、各レジ１が直営店及びテナント店のいずれのものであるかを、レジ番号及び部門コードに対応させて記憶する。
【００２３】
更に、管理用出納室Ｆ内に設置されるシステム管理用サーバ３は、同一フロアにおけるレジ１だけでなく、他のフロアのフロア用出納室Ｆａ内に設置されるシステム管理用サーバ３ａと通信接続する。そして、システム管理用サーバ３は、小売店内の各レジ１のレジ番号及び部門コード及び売上高をデータベース５に記憶させて、小売店内のレジ１全てに関して管理する。即ち、システム管理用サーバ３では、ＬＡＮ６を通じて、同一フロアにおける各レジ１から売上情報を受信するだけでなく、各フロアのシステム管理用サーバ３ａで更新された各フロアにおけるレジ１それぞれの売上情報を受信する。そして、受信した小売店内の全レジ１の売上情報をデータベース５に記憶させて、データベース５内の情報をシステム管理用サーバ３が管理する。
【００２４】
このデータベース５では、データベース５ａと同様、各レジ１が直営店及びテナント店のいずれのものであるかを、レジ番号及び部門コードに対応させて記憶する。又、データベース５では、システム管理用サーバ３が小売店内の全てのレジ１を管理するため、各レジ１がいずれのフロアに設置されていずれのシステム管理用サーバ３ａによって管理されているかを記憶する。
【００２５】
又、レジ１は、閉店後にレジ担当者により売上の集計が指示されると、その日の売上を集計した後、売上商品の分類コード、それらの個数、売上合計金額、入金された現金の種別、商品券の枚数などの集計情報を集計ジャーナルとして印字する。そして、この集計情報がシステム管理用サーバ３，３ａに送信され、システム管理用サーバ３，３ａにおいて、各レジ１の集計情報が、データベース５，５ａにおいて既に記憶されているその日の売上情報による累計と照合される。
【００２６】
更に、売上金入金機２がＬＡＮ６と接続されて、ＬＡＮ６を介してシステム管理用サーバ３，３ａと直接的に通信を行う。そして、売上金入金機２ａは、売上金入金機２によって管理され、売上金入金機２を介してシステム管理用サーバ３，３ａと間接的に通信を行う。即ち、子機となる複数の売上金入金機２ａが、親機となる売上金入金機２を介してＬＡＮ６に接続されることとなる。
【００２７】
（データベース内の記憶情報）
このようにレジ１の管理がシステム管理用サーバ３，３ａによって成されているとき、データベース５，５ａでは、図２（ａ），（ｂ）それぞれで示すようなデータテーブルが生成されて記憶される。即ち、図２（ａ）に示すように、システム管理用サーバ３では、小売店における各レジ１に対して、レジ番号と、部門番号と、設置フロアと、テナント番号と、通番と、開設区分と、日毎の入金データ及び記帳区分と、総累計データとが、データテーブルとして記憶される。又、図２（ｂ）に示すように、システム管理用サーバ３ａでは、設置されたフロアと同一フロアの各レジ１に対して、レジ番号と、部門番号と、テナント番号と、通番と、開設区分と、日毎の入金データ及び記帳区分と、総累計データとが、データテーブルとして記憶される。
【００２８】
尚、「レジ番号」が「レジ１毎に付けられる番号」を、「部門番号」が「レジ１が属する部門を示す番号」を、「テナント番号」が「各テナント店を区別するための番号」を、「開設区分」が「レジ１が開設しているか閉鎖しているかを識別するためのデータ」を、「通番」が「その日の入金処理を行った回数」を、「入金データ」が「各日にち毎に入金された売上金の合計」を、「記帳区分」が「各日にち毎の売上金の記帳がなされたか否かを識別するためのデータ」を、「総累計データ」が「指定した日からの総売上金の合計」を、それぞれ示す。
【００２９】
又、テナント番号において、直営店については、番号「０」が割り振られ、直営店のレジ１については、データテーブルにテナント番号として「０」が記録される。開設区分については、開店後に開設しているレジ１に対応する開設区分データが「１」とされ、使用されないで閉鎖しているレジ１に対応する開設区分データが「０」とされる。即ち、閉店後においてレジ１が全て閉鎖されるため、全てのレジ１の開設区分データが「０」とされる。そして、記帳区分については、後述の通帳に記帳を行った売上金に対応する記帳区分データが「１」とされ、通帳に記帳を行われていない売上金に対応する記帳区分データが「０」とされる。尚、後述するが、直営店の売上金については、入金の度に入金明細ジャーナルが発行されるため、記帳区分データが「１」とされる。
【００３０】
（売上金入金機）
上述のシステム管理用サーバ３，３ａと通信接続されて、システム管理用サーバ３，３ａの端末として動作する売上金入金機２，２ａにおいて、更に、売上金入金機２が親機として動作するとともに、売上金入金機２ａが子機として動作する。この売上金入金機２，２ａそれぞれの構成を示すブロック図を図３及び図４に示し、その外観図を図５及び図６に示す。
【００３１】
親機となる売上金入金機２は、ＬＡＮ６を通じてシステム管理用サーバ３，３ａとデータ通信を行うためのＬＡＮ用インターフェース２１と、紙幣が入金される紙幣入金部２２と、硬貨が入金される硬貨入金部２３と、紙幣入金部２２に入金された紙幣を識別計数する紙幣計数部２４と、硬貨入金部２３に入金された硬貨を識別計数する硬貨計数部２５と、各レジ１を特定するＩＤ情報が記録されたＩＤカードよりＩＤ情報を読み出すＩＤカードリーダ２６と、キー入力が成されるキーボードなどの操作部２７と、直営店のレジ１に対する入金明細ジャーナルを印字するジャーナル印字部２８と、操作部２７による入力内容や入金された金額などを表示する表示部２９と、損券を封筒にいれて投函するための現外ポスト３１と、各テナント店のレジ１毎に発行された通帳に記帳を行う通帳用印字部３２と、各ブロックと接続して売上金入金機２全体を制御する制御部３０と、を備える。又、売上金入金機２ａは、図４に示すように、図３の構成から通帳用印字部３２を除いた構成となる。
【００３２】
そして、売上金入金機２は、図５の外観図に示すように、紙幣入金部２２、硬貨入金機２３、ＩＤカードリーダ２６、操作部２７、ジャーナル印字部２８、及び表示部２９を備えた入金ターミナル２０と、通帳用印字部３２とによって構成される。又、売上金入金機２ａは、通帳用印字部３２を備えていない構成とされるため、図６の外観図に示すように、入金ターミナル２０だけで構成される。尚、図５及び図６における入金ターミナル２０の内部には、ＬＡＮ用インターフェース２１、紙幣計数部２４、硬貨計数部２５、制御部３０、及び現外ポスト３１が設置される。
【００３３】
（売上金入金動作）
このように売上金入金機２，２ａが構成されるとき、売上金入金機２，２ａそれぞれにおける売上金の入金時の動作について、図７及び図８のフローチャートを参照して説明する。
【００３４】
売上金入金機２においては、図７のフローチャートに示すように、操作部２７が操作されて売上金の入金が指示されると（ＳＴＥＰ１）、表示部２９において、ＩＤカードをＩＤカードリーダ２６にセットすることを求める表示が成される（ＳＴＥＰ２）。尚、表示部２９の表示画面には、売上金の入金を指示するためのボタン「売上金入金」と、通帳の記帳を指示するためのボタン「通帳記帳」とが表示され、操作部２７によって表示部２９に表示されるボタンが選択されて、売上金入金機２で行われる動作が指示される。このとき、操作部２７が表示部２９と一体となるタッチパネルで構成されるものとしても構わないし、表示部２９にポインタを表示し、表示されたポインタを移動させるためのマウスやキーなどで操作部２７が構成されるものとしても構わない。
【００３５】
その後、ＩＤカードリーダ２６にＩＤカードがセットされたか否かが、制御部３０で確認される（ＳＴＥＰ３）。このＩＤカードは、各レジ１毎に配布されるものであり、そのＩＤ情報として、対応するレジ１を特定するレジ番号が記憶されるとともに、部門番号やテナント番号や設置フロアなど他の情報も記憶されている。よって、ＩＤカードがＩＤカードリーダ２６にセットされることが確認されると（Ｙｅｓ）、ＩＤカードに記憶されたＩＤ情報が読み出されて、売上金が入金されるレジ１が特定される（ＳＴＥＰ４）。このとき、レジ１の特定と同時に、直営店及びテナント店のいずれであるかも特定される。尚、ＩＤカードリーダ２６へのＩＤカードのセットが一定時間の間に成されなかった場合（Ｎｏ）、動作を終了して、表示部２９の表示を初期表示に戻す。
【００３６】
レジ１の特定が成されると、紙幣入金部２２及び硬貨入金部２３を開いて売上金の入金が可能な状態とするとともに（ＳＴＥＰ５）、通帳用印字部３２の通帳挿入口を開いて通帳が挿入可能な状態とする（ＳＴＥＰ６）。そして、通帳挿入が可能であるとともに売上金の入金を求める表示が成される（ＳＴＥＰ７）。その後、紙幣入金部２２又は硬貨入金部２３への売上金の入金が成されたか否かが、制御部３０によって確認される（ＳＴＥＰ８）。この入金の確認については、紙幣入金部２２及び硬貨入金部２３に設置されたセンサによって紙幣及び硬貨の投入が確認された後、操作部２７が操作されることで、入金を示唆する入力が成されることで確認されるものとしても構わない。
【００３７】
紙幣入金部２２及び硬貨入金部２３の少なくとも一方に入金が成されたことが確認されると（Ｙｅｓ）、紙幣計数部２４及び硬貨計数部２５において紙幣及び硬貨の計数がなされて、入金された金額が算出される（ＳＴＥＰ９）。一方、紙幣入金部２２及び硬貨入金部２３のいずれにおいても入金が成されていない場合は（Ｎｏ）、後述するＳＴＥＰ１０に移行し、現外ポスト３１に投函された金額の入力の確認が行われる。
【００３８】
ＳＴＥＰ９で算出された金額は、制御部３０で一時的に格納される。このように紙幣及び硬貨が入金ターミナル２０に入金されるが、紙幣及び硬貨以外の、商品券、小切手、損券などは現外ポスト３１に投函され、投函された金額が操作部２７を通じて入力される。よって、ＳＴＥＰ９において入金金額が算出されると、制御部３０では、操作部２７より現外ポスト３１に投函された金額の入力が操作部２７によってなされたか否かが確認される（ＳＴＥＰ１０）。
【００３９】
ＳＴＥＰ１０で操作部２７により現外ポスト３１への投函金額が入力されると（Ｙｅｓ）、制御部３０によって、紙幣入金部２２及び硬貨入金部２３への入金金額と現外ポスト３１への投函金額とが加算されて、全入金金額が求められる（ＳＴＥＰ１１）。一方、操作部２７による投函金額の入力がない場合（Ｎｏ）、紙幣入金部２２及び硬貨入金部２３への入金の有無が確認される（ＳＴＥＰ１２）。そして、紙幣入金部２２及び硬貨入金部２３への入金がある場合は（Ｙｅｓ）、制御部３０に一時記憶された入金金額を全入金金額とし（ＳＴＥＰ１１）、一方、紙幣入金部２２及び硬貨入金部２３への入金がない場合は（Ｎｏ）、動作を終了して、表示部２９の表示を初期表示に戻す。
【００４０】
ＳＴＥＰ１１において、制御部３０が入金ターミナル２０へ入金された金額を算出すると、その入金金額が表示部２９に表示されるとともに、表示された入金金額の確認を求める表示が成される（ＳＴＥＰ１３）。そして、表示された入金金額が正しいことを示す入力が操作部２７によってなされたか否かが確認される（ＳＴＥＰ１４）。表示された入金金額で正しい場合は（Ｙｅｓ）、レジ１のＩＤ情報と入金金額とをＬＡＮ用インターフェース２１よりＬＡＮ６を通じてシステム管理用サーバ３，３ａに送信する（ＳＴＥＰ１５）。一方、表示された入金金額と実際に入金した金額とが異なる場合は（Ｎｏ）、ＳＴＥＰ５に移行して、再び入金することを求める。
【００４１】
ＳＴＥＰ１５において、レジ１のＩＤ情報と入金金額とがシステム管理用サーバ３，３ａに送信されるとき、受信したシステム管理用サーバ３，３ａが、レジ１のＩＤ情報より同一フロアのレジ１であることを確認した場合、データベース５，５ａに入金金額の記録を行う。即ち、ＩＤ情報よりレジ番号が特定されると、特定されたレジ番号に対する本日の入金データによる売上金に、受信した入金金額を加算して、本日の入金データの更新が行われる。そして、システム管理用サーバ３では、異なるフロアのレジ１のＩＤ情報及び入金金額を受信した場合においても同様に、データベース５における特定されたレジ番号に対する本日の入金データの更新を行う。
【００４２】
又、システム管理用サーバ３ａにおいて、異なるフロアのレジ１のＩＤ情報及び入金金額を受信した場合には、システム管理サーバ３を通じて、送信されたＩＤ情報によって特定されるレジ１と同一フロアのシステム管理サーバ３ａが確認される。そして、この同一フロアとなるシステム管理サーバ３ａに、ＩＤ情報及び入金金額が転送されるとともに、転送されたシステム管理サーバ３ａに接続されるデータベースにおいて、特定されたレジ番号に対する本日の入金データの更新が行われる。
【００４３】
上述のように、ＳＴＥＰ１５におけるシステム管理用サーバ３，３ａへの情報の送信がなされると、レジ１のＩＤ情報に基づいて、ＳＴＥＰ４においてレジ１が直営店及びテナント店のいずれのものであると特定されたかが確認される（ＳＴＥＰ１６）。このとき、レジ１が直営店のものである場合（Ｙｅｓ）、確認された入金金額を印字した入金明細ジャーナルがジャーナル印字部２８より排出された後（ＳＴＥＰ１７）、動作を終了して、表示部２９の表示を初期表示に戻す。
【００４４】
又、レジ１がテナント店のものである場合（Ｎｏ）、通帳用印字部３２に通帳が挿入されているか否かが、制御部３０によって確認される（ＳＴＥＰ１８）。そして、通帳用印字部３２に通帳が挿入されている場合は（Ｙｅｓ）、後述する通帳への記帳処理が行われた後（ＳＴＥＰ１９）、動作を終了して、表示部２９の表示を初期表示に戻す。一方、通帳用印字部３２に通帳が挿入されていない場合も（Ｎｏ）、動作を終了して、表示部２９の表示を初期表示に戻す。
【００４５】
このように、通帳用印字部３２を備えた売上金入金機２では、売上金の入金時において、通帳用印字部３２へ通帳が挿入された場合、売上金の入金処理だけでなく、後述する通帳記帳処理をも同時に行うことができる。又、通帳用印字部３２を除いた構成となる売上金入金機２ａの売上金入金動作は、図８のフローチャートに示すものとなる。
【００４６】
即ち、ＳＴＥＰ５で売上金の入金が可能な状態となると、ＳＴＥＰ６の動作が省略されて、ＳＴＥＰ７における売上金の入金を求める表示が成される。又、ＳＴＥＰ１６でレジ１がテナント店のものであることが確認されると、ＳＴＥＰ１８及びＳＴＥＰ１９における動作が省略されて、動作を終了して、表示部２９の表示を初期表示に戻す。そして、これらのステップ以外のステップにおける動作については、図７のフローチャートで説明した売上金入金機２と同様の動作を行う。
【００４７】
尚、図７及び図８のフローチャートにおいては、ＳＴＥＰ１５において、システム管理用サーバ３，３ａへの情報の送信を行った後に、通帳記帳や入金明細ジャーナルの印字が行われるものとしたが、ＳＴＥＰ１５における情報送信動作が、全ての動作を終了した後に行われるものとしても構わない。即ち、通帳用印字部３２を備えた売上金入金機２において、データーベースと同じ情報を記録することができる記憶部を備えている場合、システム管理用サーバ３，３ａへ情報を送信せずに、その日の入金金額の合計を演算することができる。又、通帳用印字部３２を備えていない売上金入金機２の場合は、通帳記帳を行う必要がないため、その日の入金金額の合計を演算する必要がない。
【００４８】
よって、これらの場合においては、ＳＴＥＰ１５の動作が省略される。そして、ＳＴＥＰ１７の入金明細ジャーナルの印字処理やＳＴＥＰ１９での通帳記帳処理が終了すると、又は、ＳＴＥＰ１８で通帳の挿入が確認されない場合、動作を終了するとともに、システム管理用サーバ３，３ａへ情報を送信する。このとき、システム管理用サーバ３，３ａへ送信される情報は、レジ１のＩＤ情報と入金金額とを含むものであり、更に、その日の入金金額に加算した合計金額も含むものとしても構わない。
【００４９】
（通帳記帳動作）
売上金入金機２ａにおける通帳用印字部３２において、又、システム管理サーバ３，３ａに接続された印字装置４において、その通帳挿入口に挿入された通帳に対して、その通帳に対応したレジ１の入金された売上金が記帳される。まず、システム管理サーバ３，３ａの構成について、システム管理サーバ３を代表して説明する。
【００５０】
システム管理サーバ３は、図９のブロック図に示すように、インターネット７と接続されるモデムなどのネットワークインターフェース３０１と、印字装置４やデータベース５と接続されるＵＳＢポートやＲＳ２３２Ｃポートなどの付属装置用インターフェース３０２と、ＬＡＮ６と接続されるＬＡＮ用インターフェース３０３と、ＩＤカードよりＩＤ情報を読み出すＩＤカードリーダ３０４と、キー入力が成されるキーボードや表示部３０６と一体化したタッチパネルなどの操作部３０５と、操作部３０５による入力内容やデータベース５より読み出した情報などを表示する表示部３０６と、各ブロックと接続してシステム管理サーバ３全体を制御する制御部３０７と、を備える。尚、システム管理サーバ３ａにおいては、インターネット７との接続がないので、ネットワークインターフェース３０１を省略することができる。
【００５１】
このようなシステム管理サーバ３において、操作部３０５が操作されて通帳の記帳が所望されると、図１０のフローチャートに従って、通帳の記帳動作が成される。まず、通帳の記帳が所望されると（ＳＴＥＰ１０１）、表示部３０６において、ＩＤカードをＩＤカードリーダ３０４にセットすることを求める表示が成される（ＳＴＥＰ１０２）。そして、ＩＤカードリーダ３０４にＩＤカードがセットされたか否かが、制御部３０７で確認され（ＳＴＥＰ１０３）、ＩＤカードのセットが確認されたとき（Ｙｅｓ）、ＩＤカードに記憶されたＩＤ情報が読み出されて、通帳を記帳するレジ１が特定される（ＳＴＥＰ１０４）。一方、ＩＤカードのセットが所定時間の間に確認されなかったとき（Ｎｏ）、動作を終了して、表示部３０６の表示を初期表示に戻す。
【００５２】
レジ１の特定が成されると、特定されたレジ１のＩＤ情報に基づいて、レジ１が直営店のものであるかテナント店のものであるかが確認される（ＳＴＥＰ１０５）。レジ１がテナント店のものである場合（Ｙｅｓ）、付属装置用インターフェース３０２によって印字装置４の通帳挿入口が開かれて、通帳が挿入可能な状態とされ（ＳＴＥＰ１０６）、通帳挿入が可能であることが表示部３０６に表示される（ＳＴＥＰ１０７）。一方、レジ１が直営店のものである場合（Ｎｏ）、動作を終了して、表示部３０６の表示を初期表示に戻す。
【００５３】
ＳＴＥＰ１０７で通帳挿入が可能であることの表示が成されると、印字装置４に通帳が挿入されているか否かが、付属装置用インターフェース３０２を通じて制御部３０７によって確認される（ＳＴＥＰ１０８）。そして、印字装置４に通帳が挿入されている場合は（Ｙｅｓ）、特定されたレジ１に対する各情報を、付属装置用インターフェース３０２を通じてデータベース５に記憶された情報より読み出す（ＳＴＥＰ１０９）。一方、一定時間を越えて印字装置４に通帳が挿入されなかった場合は（Ｎｏ）、動作を終了して、表示部３０６の表示を初期表示に戻す。
【００５４】
即ち、データベース５に対して、特定されたレジ１に対する「レジ番号」、「部門番号」、及び「テナント番号」が与えられ、その「レジ番号」、「部門番号」、及び「テナント番号」によってデータベース５内で特定されるレジ１の「開設区分」、「入金データ」及び「記帳区分」による情報がデータベース５より読み出される。尚、「入金データ」については、記帳区分データが「０」とされて未だ記帳されていない入金データのみが読み出されるものとしても構わない。
【００５５】
尚、システム管理用サーバ３ａについては、特定されたレジ１が同一フロアのものではなく、付属装置用インターフェース３０２に接続されたデータベース５ａにレジ１の情報が記憶されていない場合、ＬＡＮ用インターフェース３０３によって、システム管理用サーバ３を通じてデータベース５より、特定されたレジ１の情報を受信する。又、特定されたレジ１と通信接続したシステム管理用サーバ３ａに接続されたデータベース５ａより、特定されたレジ１の情報を受信するものとしても構わない。
【００５６】
そして、まず、開設区分データに基づいてレジ１が閉鎖されているか否かが制御部３０７によって判断される（ＳＴＥＰ１１０）。開設区分データが「０」でレジ１が閉鎖されていることが確認されると（Ｙｅｓ）、次に、現在時刻が閉店時間から一定時間が経過したか否かが確認される（ＳＴＥＰ１１１）。即ち、記帳処理を行っている当日においてもレジ１にそれ以上の売上がなく、データベース５より読み出された入金データのうち、記帳処理を行っている当日の入金データの記帳が可能であることが確認される。言い換えれば、記帳区分データが「０」であり未だ記帳されていない入金データ全てについて記帳可能であるか否かが確認される。
【００５７】
又、ＳＴＥＰ１１０においてレジ１の閉鎖がなされていないとき（Ｎｏ）、又は、ＳＴＥＰ１１において閉店時間から一定時間の経過がなされていないとき（Ｎｏ）、操作部３０５によって当日の入金データの記帳も行うことが指示されたか否かが確認される（ＳＴＥＰ１１２）。そして、ＳＴＥＰ１１１において閉店時間から一定時間が経過したとき（Ｙｅｓ）、又は、ＳＴＥＰ１１２において当日の入金データの記帳を行うことが指示されたとき（Ｙｅｓ）、未だ記帳されていない入金データ全てが印字装置４に付属装置用インターフェース３０２より与えられる（ＳＴＥＰ１１３）。
【００５８】
同時に、読み出した入金データ全てに対する記帳区分データを「１」として、記帳がされたことを記録するようにデータベース５，５ａに指示する（ＳＴＥＰ１１４）。尚、システム管理用サーバ３は、データベース５に対しては、付属装置用インターフェース３０２を通じて指示を与え、又、データベース５ａに対しては、ＬＡＮ用インターフェース３０３と、そのデータベース５ａに接続されたシステム管理用サーバ３ａとを通じて、指示を与える。
【００５９】
又、システム管理用サーバ３ａについては、データベース５に対しては、ＬＡＮ用インターフェース３０３及びシステム管理用サーバ３を通じて、指示を与える。そして、データベース５ａが直接接続されているものである場合は、付属装置用インターフェース３０２を通じて指示を与え、又、データベース５ａが別のシステム管理用サーバ３ａに接続されている場合は、ＬＡＮ用インターフェース３０３と、そのデータベース５ａに接続されたシステム管理用サーバ３ａとを通じて、指示を与える。
【００６０】
又、ＳＴＥＰ１１２において当日の入金データの記帳を行うことの指示がないとき（Ｎｏ）、本日の入金データ以外の未だ記帳されていない入金データ全て（前日までの入金データ全て）が印字装置４に付属装置用インターフェース３０２より与えられる（ＳＴＥＰ１１５）。そして、同時に、読み出した入金データのうち、当日の入金データ以外の入金データに対する記帳区分データを「１」として、ＳＴＥＰ１１４と同様にして、記帳がされたことを記録するようにデータベース５，５ａに指示する（ＳＴＥＰ１１６）。
【００６１】
そして、ＳＴＥＰ１１４及びＳＴＥＰ１１６における動作が行われると、印字装置４において、付属装置用インターフェース３０２を通じて与えられた入金データが通帳に記帳される（ＳＴＥＰ１１７）。このようにして通帳の記帳が終了すると、通帳の記帳が終了したことを表示部３０６に表示する（ＳＴＥＰ１１８）。その後、付属用インターフェース３０２を通じて通帳の排出が指示されて、印字装置４から通帳が排出され（ＳＴＥＰ１１９）、動作を終了して、表示部３０６の表示を初期表示に戻す。
【００６２】
このシステム管理サーバ３，３ａと印字装置４とによって行われる通帳記帳動作と同様の通帳記帳動作が、通帳用印字部３２を備えた売上金入金機２ａにおいても行われる。この売上金入金機２による通帳記帳動作について、図１１のフローチャートに示す。尚、図１１のフローチャートにおいて、図１０のフローチャートと同一の動作ステップについては同一の符号を付して、その詳細な説明は省略する。
【００６３】
売上金入金機２ａにおいても、操作部２７によって通帳の記帳が指示されると、表示部２９においてＩＤカードのセットを要求する表示が成されて、ＩＤカードがＩＤカードリーダ２６へセットされたか確認される（ＳＴＥＰ１０１〜ＳＴＥＰ１０３）。このとき、ＩＤカードがセットされてレジ１の特定が成されると、レジ１が直営店及びテナント店のいずれのものか確認され、テナント店のものである場合、通帳用印字部３２の通帳挿入口が開かれる（ＳＴＥＰ１０４〜ＳＴＥＰ１０６）。
【００６４】
そして、通帳挿入が可能であることが表示部２９に表示された後、通帳用印字部３２に通帳が挿入されたことが確認されると、特定されたレジ１の情報をデータベース５，５ａより読み出す（ＳＴＥＰ１０７〜ＳＴＥＰ１０９）。このとき、ＬＡＮ用インターフェース２１を通じてシステム管理用サーバ３，３ａと通信を行うことにより、特定されたレジ１の情報を格納したデータベース５，５ａより、その情報を読み出すことができる。
【００６５】
その後、レジ１が閉鎖されているか否か、閉店時間から一定時間が経過したか否か、当日の入金データの記帳を行う指示が操作部２７によって成されたか否かが、それぞれ確認される（ＳＴＥＰ１１０〜ＳＴＥＰ１１２）。このとき、当日の入金データが記帳可能である場合は、通帳印字部３２によって、当日の入金データを含む未だ記帳されていない入金データ全てが通帳に記帳される（ＳＴＥＰ１２０）。そして、当日の入金データを含む入金データに対する記帳区分データを「１」として、記帳がされたことを記録するようにデータベース５，５ａに指示する（ＳＴＥＰ１１４）。
【００６６】
又、当日の入金データが記帳不可能である場合は、通帳印字部３２によって、当日の入金データ以外の未だ記帳されていない入金データ全てが通帳に記帳される（ＳＴＥＰ１２１）。そして、当日の入金データ以外の入金データに対する記帳区分データを「１」として、記帳がされたことを記録するようにデータベース５，５ａに指示する（ＳＴＥＰ１１６）。ＳＴＥＰ１１４及びＳＴＥＰ１１６の動作が終了すると、通帳の記帳が終了したことを表示部２９に表示した後（ＳＴＥＰ１１８）、通帳印字部３２からから通帳が排出されると（ＳＴＥＰ１１９）、動作を終了して、表示部３０６の表示を初期表示に戻す。
【００６７】
この図１１のフローチャートのようにして通帳記帳動作が行われる売上金入金機２において、上述の売上金入金動作が行われているとき（図７のフローチャート参照）、ＳＴＥＰ１８で通帳用印字部３２に通帳が挿入されていることが確認されて、ＳＴＥＰ１９に移行すると、図１１のフローチャートにおけるＳＴＥＰ１１０以降の動作が行われる。これにより、通帳用印字部３２を備えた売上金入金機２において、売上金入金処理と同時に通帳記帳処理を行うことができる。
【００６８】
又、データベース５，５ａにおいて、各日にち毎に集計される売上商品の分類コード、それらの個数、入金された現金の種別、商品券の枚数などの売上合計金額以外の集計情報が記憶されるとき、上述のようにして通帳記帳が行われる際、各日にち毎の売上金の記帳だけでなく、その売上金と共に、各日にち毎に集計された集計情報が記帳されるものとしても構わない。
【００６９】
（売上金精算システムの運用手順）
上述のように構成される売上金精算システムにおける直営店及びテナント店それぞれのレジ担当者による運用手順について、図面を参照して説明する。尚、小売店の開店時刻及び閉店時刻をそれぞれ１０時及び２０時とし、又、説明の便宜上、レジ１が、開店時刻とともに開設されるとともに、閉店時刻とともに閉鎖されるものとする。
【００７０】
１．直営店の運用手順
直営店のレジ１におけるレジ担当者による運用手順について、図１２（ａ）のタイミングチャートを参照して説明する。図１２（ａ）に示すように、１０時〜２０時の間の開店時間内となる時刻ｔ１で、直営店のレジ担当者が途中入金のために、同一フロアの売上金入金機２，２ａのいずれかにおいて、レジ１の売上金の入金を行う。このとき、直営店のレジ１の売上金が入金されることが売上金入金機２，２ａで確認されるため、売上金入金機２，２ａでは、入金された売上金の金額を表示した入金明細ジャーナルがジャーナル印字部２８より印字出力される。又、このレジ１の情報を管理するデータベース５，５ａにおいて、システム管理用サーバ３，３ａを通じて入金された売上金が確認され、当日の入金データに加算される。
【００７１】
その後、閉店時刻２０時となり、小売店が閉店されるとともにレジ１が閉鎖された後、開店時刻２０時から所定時間Ｔ以上が経過した時刻ｔ２で、直営店のレジ１におけるレジ担当者が、売上金入金機２，２ａのいずれかにおいて、レジ１の売上金の入金を行う。このときも、直営店のレジ１の売上金が入金されることが売上金入金機２，２ａで確認されるため、売上金入金機２，２ａでは、入金された売上金の金額を表示した入金明細ジャーナルがジャーナル印字部２８より印字出力される。又、このレジ１の情報を管理するデータベース５，５ａでは、システム管理用サーバ３，３ａを通じて入金された売上金が確認され、当日の入金データに加算されると、この入金データをその日の売上として記憶する。
【００７２】
２．テナント店の運用手順の第１例
テナント店のレジ１におけるレジ担当者による運用手順について、図１２（ｂ）のタイミングチャートを参照して説明する。図１２（ａ）の場合と同様に、開店時間内となる時刻ｔ１で、テナント店のレジ担当者が途中入金のために、通帳を携帯することなく、同一フロアの売上金入金機２，２ａのいずれかにおいて、レジ１の売上金の入金を行う。このとき、テナント店のレジ１の売上金が入金されることが売上金入金機２，２ａで確認され、このレジ１の情報を管理するデータベース５，５ａにおいて、システム管理用サーバ３，３ａを通じて入金された売上金が確認され、当日の入金データに加算される。
【００７３】
その後、小売店が閉店されるとともにレジ１が閉鎖されてから所定時間Ｔ以上が経過した時刻ｔ２で、テナント店のレジ１におけるレジ担当者が、通帳を携帯して、売上金入金機２において、レジ１の売上金の入金を行う。このとき、テナント店のレジ１の売上金が入金されることが売上金入金機２で確認されるため、通帳用印字部３２に通帳が挿入されると、本日の入金データも合わせて通帳記帳が成される。又、このレジ１の情報を管理するデータベース５，５ａでは、システム管理用サーバ３，３ａを通じて入金された売上金が確認され、当日の入金データに加算されると、この入金データをその日の売上として記憶する。
【００７４】
３．テナント店の運用手順の第２例
テナント店のレジ１におけるレジ担当者による運用手順について、図１２（ｃ）のタイミングチャートを参照して説明する。図１２（ｂ）の場合と同様に、開店時間内となる時刻ｔ１で、テナント店のレジ担当者が途中入金のために、通帳を携帯することなく、同一フロアの売上金入金機２，２ａのいずれかにおいて、レジ１の売上金の入金を行う。このとき、テナント店のレジ１の売上金が入金されることが売上金入金機２，２ａで確認され、このレジ１の情報を管理するデータベース５，５ａにおいて、システム管理用サーバ３，３ａを通じて入金された売上金が確認され、当日の入金データに加算される。
【００７５】
その後、小売店の閉店時刻から所定時間Ｔ以上が経過した時刻ｔ２で、テナント店のレジ１におけるレジ担当者が、通帳を携帯せずに、売上金入金機２，２ａにおいて、レジ１の売上金の入金を行う。このときも、テナント店のレジ１の売上金が入金されることが売上金入金機２で確認される。そして、このレジ１の情報を管理するデータベース５，５ａでは、システム管理用サーバ３，３ａを通じて入金された売上金が確認され、当日の入金データに加算されると、この入金データをその日の売上として記憶する。
【００７６】
更に、次の日となり、例えば、次の日の開店時刻１０時過ぎとなる時刻ｔ３で、テナント店のレジ１におけるレジ担当者が、通帳を携帯して、システム管理用サーバ３，３ａ又は売上金入金機２で入金を行うとともに通帳記帳を行う。このとき、システム管理用サーバ３，３ａ又は売上金入金機２で、テナント店のレジ１を確認すると、前日までの入金内容が記帳可能であるため、前日までの入金内容が１日ごとに通帳に記帳される。又、このレジ１の情報を管理するデータベース５，５ａでは、システム管理用サーバ３，３ａを通じて入金された売上金が確認され、確認された売上金による入金データをその日の売上として記憶する。
【００７７】
４．テナント店の運用手順の第３例
テナント店のレジ１におけるレジ担当者による運用手順について、図１２（ｄ）のタイミングチャートを参照して説明する。図１２（ｂ）の場合と同様に、開店時間内となる時刻ｔ１で、テナント店のレジ担当者が途中入金のために、通帳を携帯することなく、同一フロアの売上金入金機２，２ａのいずれかにおいて、レジ１の売上金の入金を行う。このとき、テナント店のレジ１の売上金が入金されることが売上金入金機２，２ａで確認され、このレジ１の情報を管理するデータベース５，５ａにおいて、システム管理用サーバ３，３ａを通じて入金された売上金が確認され、当日の入金データに加算される。
【００７８】
その後、小売店の閉店時刻から所定時間Ｔが経過する前の時刻ｔ４で、テナント店のレジ１におけるレジ担当者が、通帳を携帯して、売上金入金機２において、レジ１の売上金の入金を行う。このとき、テナント店のレジ１の売上金が入金されることが売上金入金機２で確認される。そして、レジ担当者によって操作部２７が操作されて、通帳記帳が指示されることで、通帳用印字部３２において、本日の入金データも合わせて通帳記帳が成される。又、このレジ１の情報を管理するデータベース５，５ａでは、システム管理用サーバ３，３ａを通じて入金された売上金が確認され、当日の入金データに加算されると、この入金データをその日の売上として記憶する。
【００７９】
このように、売上金精算システムにおける運用を簡単に説明するために、運用手順について数例を記載したが、上述のフローチャートに従った運用手順であれば、他の運用手順も可能である。即ち、テナント店の運用手順の第１例及び第３例において、時刻ｔ１が閉店時刻に近く、売上金を全て入金した場合、時刻ｔ２，ｔ４では通帳記帳だけを行うものとすることができる。そして、時刻ｔ２〜ｔ３での通帳記帳については、売上金入金機２に限らず、システム管理用サーバ３，３ａによっても行うことができる。
【００８０】
尚、本実施形態において、親機となる売上金入金機２に通帳用印字部３１が備えられるものとしたが、親機となる売上金入金機２においても子機となる売上金入金機２ａと同様、売上金の入金機能だけを備えるものとしても構わない。又、売上金入金機２，２ａを親機と子機の関係にあるものとしたが、ＬＡＮ６に対して並列に接続され、売上金入金機２，２ａそれぞれが、システム管理用サーバ３，３ａそれぞれと直接通信接続を行うことができるものとしても構わない。更に、売上金入金機２において、通帳用印字部３１を印字装置４とし、入金ターミナル２０に印字装置４のＬＡＮ用インターフェースと接続されるＬＡＮ用インターフェースを備えるものとし、入金ターミナル２０と印字装置４とが別体として接続されて構成されるものとしても構わない。
【００８１】
又、通帳印字用の印字装置４をシステム管理用サーバ３，３ａに接続して、システム管理用サーバ３，３ａの操作によって印字装置４を動作させて、通帳への記帳が行われるものとしたが、図１３のように、印字装置４を動作制御するパーソナルコンピュータ（ＰＣ）１０をＬＡＮ６上に配置するものとしても構わない。
【００８２】
即ち、ＬＡＮ６と接続されたＰＣ１０が操作されることで印字装置４が動作制御されて通帳へ記帳される際、まず、通帳に応じたレジ１を管理するシステム管理用サーバ３，３ａとの通信が行われて、データベース５，５ａに格納されている未記帳の売上金が確認される。そして、この未記帳の売上金をＰＣ１０が受信すると、印字装置４に与えられることで、印字装置４に設置された通帳への記帳が行われる。尚、ＰＣ１０は、システム管理用サーバ３，３ａと同様、レジ担当者によって各レジ１を識別するためのＩＤカード入力が成されるためのＩＤカードリーダ１１を備える。
【００８３】
更に、印字装置４自体が、このＰＣ１０の機能と印字装置４の機能とを備えた装置として個別に構成されるものとしても構わない。即ち、ＰＣ１０と印字装置４とを一体とした装置として、通帳を記帳する印字装置４が構成されるものとしても構わない。
【００８４】
又、説明の便宜上、通帳に対して、各日にちの売上金の記帳がレジ１毎に成されるものとしたが、テナント毎に記帳されるものとしても構わない。このとき、データベース５，５ａにおいて確認されるテナントが同一となる全てのレジ１の売上金が、通帳記帳を行うシステム管理用サーバ３，３ａ又は売上金入金機２によって読み出される。そして、日にち毎に、読み出された同一テナントのレジ１全ての売上金が合計されて、テナントに発行された通帳への記帳がなされる。
【００８５】
更に、データベース５，５ａがシステム管理用サーバ３，３ａに接続されるものとしたが、ＬＡＮ６に直接接続されるものとしても構わないし、親機となる売上金入金機２に接続されるものとしても構わない。更に、売上金入金機２に、データベース５，５ａと同様の記憶部を備えるものとしても構わない。
【産業上の利用可能性】
【００８６】
本発明は、百貨店やスーパーマーケットなどのように、その直営店以外に他社のテナント店が入店している小売店などで、各店舗の売上を管理する売上精算システムにおいて適用可能である。
【図面の簡単な説明】
【００８７】
【図１】は、本発明の実施形態における売上金精算システムの構成を示すブロック図である。
【図２】は、図１の売上金精算システムにおけるデータベースにおいて記憶されるデータテーブルの構成例を示す図である。
【図３】は、図１の売上金精算システムにおける親機となる売上金入金機の内部構成を示すブロック図である。
【図４】は、図１の売上金精算システムにおける子機となる売上金入金機の内部構成を示すブロック図である。
【図５】は、図３の売上金入金機の構成を示す外観斜視図である。
【図６】は、図４の売上金入金機の構成を示す外観斜視図である。
【図７】は、図３の売上金入金機の売上金入金動作を示すフローチャートである。
【図８】は、図４の売上金入金機の売上金入金動作を示すフローチャートである。
【図９】は、図１の売上金精算システムにおけるシステム管理用サーバの内部構成を示すブロック図である。
【図１０】は、図９のシステム管理用サーバの通帳記帳動作を示すフローチャートである。
【図１１】は、図３の売上金入金機の通帳記帳動作を示すフローチャートである。
【図１２】は、本発明の実施形態における売上金精算システムの運用手順の例を示すタイミングチャートである。
【図１３】は、通帳記帳機能のみを備えた装置の構成例を示す図である。
【符号の説明】
【００８８】
１    レジ（ＰＯＳレジスタ）
２，２ａ    売上金入金機
３，３ａ    システム管理用サーバ
４    印字装置
５，５ａ    データベース
６    ＬＡＮ
７    インターネット
８    直営店管理サーバ
【図１】
2008117307.tif 000003
【図２】
2008117307.tif 000004
【図３】
2008117307.tif 000005
【図４】
2008117307.tif 000006
【図５】
2008117307.tif 000007
【図６】
2008117307.tif 000008
【図７】
2008117307.tif 000009
【図８】
2008117307.tif 000010
【図９】
2008117307.tif 000011
【図１０】
2008117307.tif 000012
【図１１】
2008117307.tif 000013
【図１２】
2008117307.tif 000014
【図１３】
2008117307.tif 000015